(57)【特許請求の範囲】
【請求項１】
スピーカユニットの周囲を材質の異なる２つの半円筒状のケースのリブで固定し、前記２つのケースを２つ割りのキャビネットで挟み込むことで固定したことを特徴とするスピーカユニット取付構造。
【請求項２】
前記２つのケースの一方を透明な材質とし、その一部を前記キャビネットから露出させた請求項１のスピーカユニット取付構造。
【発明の詳細な説明】
【０００１】
【発明の属する技術分野】
この発明はスピーカユニット取付構造に係わり、特に、キャビネットからスピーカユニットに伝わる振動による音質劣化を防止したスピーカユニット取付構造に関する。
【０００２】
【従来の技術】
従来のスピーカユニット取付構造の例を図５および図６により説明する。図に示すようにキャビネットは２つ割りとなっており、右側キャビネット２と左側キャビネット３との夫々のボス２ｂ、３ｅを合わせて取付ねじ５で締着することにより一体とされる。
【０００３】
右側キャビネット２と左側キャビネット３とが合わせられると、夫々のリブ２ａ、３ａがスピーカユニット１のフランジ１ａと嵌合し、スピーカユニット１が保持される。左側キャビネット３の一部はアクリル板３ｂで形成されており、また、内部にはスピーカユニット１を照らすライト４が配置されている。左側キャビネット３（右側キャビネットも同じ）にはキャビネット室をダクト３ｄに連通させるダクト孔３ｃが設けられている。
【０００４】
【発明が解決しようとする課題】
上記した従来のスピーカユニット取付構造では、スピーカユニット１がフランジ１ａだけでキャビネットに固定されているため、取付強度が弱いという問題があった。また、スピーカユニット１がキャビネットからの振動を拾い易く、音質を劣化させる原因となっていた。
【０００５】
また、意匠的にもアクリル板からスピーカユニットの振動板を見ようとしてもスピーカユニットの正面が見えず、覗き込まないとライティングされた振動板を良く見ることができなかった。
【０００６】
この発明は上記した点に鑑みてなされたものであって、その目的とするところは、スピーカユニットにキャビネットからの振動が伝わりにくく、また、スピーカユニットからキャビネットに振動が伝わる場合も音質の劣化を軽減することができるスピーカユニット取付構造を提供することである。
【０００７】
この発明の他の目的は振動板を真横から見ることができ、意匠的に優れたスピーカユニット取付構造を提供することである。
【０００８】
【課題を解決するための手段】
この発明のスピーカユニット取付構造は、スピーカユニットの周囲を材質の異なる２つの半円筒状のケースのリブで固定し、前記２つのケースを２つ割りのキャビネットで挟み込むことで固定したものである。
【０００９】
また、前記スピーカユニット取付構造において、前記２つのケースの一方を透明な材質とし、その一部を前記キャビネットから露出させたものである。
【００１０】
【発明の実施の形態】
この発明の実施例であるスピーカユニット取付構造を図面に基づいて説明する。図１はこの発明実施例であるスピーカユニット取付構造を上側キャビネットを取り外して示す平面図、図２は図１において、上側キャビネット９を取付けた状態におけるＣ−Ｃ断面図、図３は図１において、上側キャビネット９を取付けた状態におけるＡ−Ａ断面図、図４は図３においてスピーカユニット６を取り外した状態におけるＢ−Ｂ断面図である。
【００１１】
図３によりこの実施例のスピーカユニット６の構造を説明する。スピーカユニット６は反発磁気回路を用いている。反発磁気回路は互いに同極が対向するマグネット６、６およびそれらに挟まれたセンタープレート６ｃで構成される。この反発磁気回路はディフューザ６ｍとホルダ６ｋで挾持されている。
【００１２】
ホルダ６ｋは取付ねじ６ｈによりフレーム６ｇに締着され、フレーム６ｇは外枠６ｆに締着されている。外枠６ｆの中央は円板状に内側に延びておりその先端にアウターリング６ｅが固着されている。
【００１３】
センタープレート６ｃとアウターリング６ｅとの間の磁気ギャップにはボイスコイル６ｃが配置されている。ボイスコイル６ｃは振動板６ｄの内周に固着され、振動板６ｄの外周はエッジ６ｊを介して外枠６ｆに支持されている。
【００１４】
スピカユニット６は図１、図３および図４に示す下側ケース８と図３および図４に示す上側ケース７に挾持されて支持される。すなわち、外枠６ｆの２つのリブが下側ケース８のリブ８ａ、８ａと上側ケース７のリブ７ａ、７ａと嵌合した状態で上側ケース７と下側ケース８のフランジ部が取付ねじ１４、１４…で締着される。
【００１５】
上側ケース７は透明なアクリル樹脂で作られており、下側ケース８はＡＢＳ、ＰＰ等の熱可塑性樹脂で作られている。スピーカユニット６を挾持した上側ケース７および下側ケース８は図１、図２、図３および図４に示す下側キャゾネット１０と図２、図３および図４に示す上側キャビネット９に挾持されて支持される。
【００１６】
すなわち、先ず、図３に示すように、上側ケース７が上側キャビネット９に取付ねじ１１に締着され、図１に示すように下側ケース８のリブが下側キャビネット１０のリブ１０ａと嵌合した状態で図２に示すように下側キャビネット１０のボス１０ｂと上側キャビネット９のボス９ｂが取付ねじ１３により締着される。また、図４に示すように下側ケース８のボス８ｂが取付ねじ１２により下側キャビネット１０のボス１０ｂに締着される。
【００１７】
完成状態において、キャビネット室はダクト孔１０ｄによりダクト１０ｃに連通される。また、図３に示すように透明な上側ケース７の一部が上側キャビネット９から露出しているので、振動板６ｄを真横から見ることができる。また、スピーカユニット６は材質の異なる上側ケース７と下側ケース８に強固に支持されているので、素材の固有振動周波数は分割されケースの振動による音質の劣化が軽減される。
【００１８】
【発明の効果】
この発明のスピーカユニット取付構造によれば、スピーカユニットは材質の異なる上側ケースと下側ケースに強固に支持されているので、素材の固有振動周波数は分割されケースの振動による音質の劣化が軽減される。
【００１９】
また、透明板を通して振動板を真横から見ることができ、意匠的にも優れたものとなる。
【図面の簡単な説明】
【図１】この発明実施例であるスピーカユニット取付構造を一部部材を取り外して示す平面図である。
【図２】図１におけるＣ−Ｃ断面図である。
【図３】図１におけるＡ−Ａ断面図である。
【図４】図３におけるＢ−Ｂ断面図である。
【図５】従来のスピーカユニット取付構造の例を示す分解斜視図である。
【図６】同スピーカユニット取付構造を示す断面図である。
【符号の説明】
１  スピーカユニット、１ａ  フランジ
２  右側キャビネット、２ａ  リブ、２ｂ  ボス
３  左側キャビネット、３ａ  リブ、３ｂ  アクリル板、３ｃ  ダクト孔、
３ｄ  ダクト、３ｅ  ボス
４  ライト
５  取付ねじ
６  スピーカユニット、６ａ  マグネット、６ｂ  センタープレート、
６ｃ  ボイスコイル、６ｄ  振動板、６ｅ  アウターリング、６ｆ  外枠
６ｇ  フレーム、６ｈ  取付ねじ、６ｊ  エッジ、６ｋ  ホルダ、
６ｍ  ディフユーザ
７  上側ケース、７ａ  リブ
８  下側ケース、８ａ  リブ、８ｂ  ボス
９  上側キャビネット、９ｂ  ボス
１０  下側キャビネット、１０ａリブ、１０ｂ  ボス、
１０ｃ  ダクトダクト、１０ｄダクト孔
１１、１２、１３、１４  取付ねじ
【図１】
0003571581.tif 000002
【図２】
0003571581.tif 000003
【図３】
0003571581.tif 000004
【図４】
0003571581.tif 000005
【図５】
0003571581.tif 000006
【図６】
0003571581.tif 000007